(57)【要約】【課題】安価かつ単純に構成でき、短時間で開閉できるとともに、大屋根を任意の開放角度で確実に支持することができるグランドピアノの大屋根支持装置を提供する。【解決手段】側板６に支点５を中心として回動自在に取り付けられた大屋根２を支持するグランドピアノ１の大屋根支持装置１１であって、基端部１２ａが側板６の支点５と反対側に位置する支点７に前後方向の軸線回りに回動自在に取り付けられ、開放された大屋根２を先端部１２ｂで支持する大屋根突き揚げ棒１２と、先端部１２ｂに転動自在に設けられ、大屋根突き揚げ棒１２で大屋根２を支持した状態において、大屋根２の裏面に当接するローラ１５と、を備え、ローラ１５には、大屋根２の開放側への回動に伴うローラ１５の転動を許容し、大屋根２の閉鎖側への回動に伴うローラ１５の転動を阻止するワンウェイクラッチ機構が設けられている。【選択図】  図４
2004354526.tif 000002
【特許請求の範囲】
【請求項１】
側板に支点を中心として回動自在に取り付けられた大屋根を開放状態で支持するためのグランドピアノの大屋根支持装置であって、
基端部が前記側板の前記支点と反対側に位置する支点に前後方向の軸線回りに回動自在に取り付けられ、開放された前記大屋根を先端部で支持するための大屋根突き揚げ棒と、
当該大屋根突き揚げ棒の前記先端部に転動自在に設けられ、当該大屋根突き揚げ棒で前記大屋根を支持した状態において、当該大屋根の裏面に当接するローラと、を備え、
当該ローラには、前記大屋根の開放側への回動に伴う前記ローラの転動を許容し、前記大屋根の閉鎖側への回動に伴う前記ローラの転動を阻止するワンウェイクラッチ機構が設けられていることを特徴とするグランドピアノの大屋根支持装置。
【請求項２】
前記大屋根突き揚げ棒の前記支点付近に設けられ、前記大屋根突き揚げ棒の下方への回動を制動するロータリーダンパをさらに備えることを特徴とする請求項１に記載のグランドピアノの大屋根支持装置。
【請求項３】
前記ローラの外周部は、摩擦性を有する材料で構成されていることを特徴とする請求項１または２に記載のグランドピアノの大屋根支持装置。
【発明の詳細な説明】
【０００１】
【発明の属する技術分野】
本発明は、側板に回動自在に取り付けられた大屋根を支持するためのグランドピアノの大屋根支持装置に関する。
【０００２】
【従来の技術】
図６は、従来の一般的な大屋根支持装置を備えたグランドピアノを示している。このグランドピアノ５０の大屋根２は、一般にラワン合板などからなり、大屋根後３と、大屋根後３に対して後方に折りたたみ自在の大屋根前（図示せず）とで構成されている。大屋根後３は、その低音側端部が、蝶番５を介して、側板６に回動自在に取り付けられており、裏面の所定位置には、２つの突き揚げ棒受け皿５１，５１が左右方向に並んで設けられている。一方、側板６は、内蔵したフレームや響板（いずれも図示せず）などとともにピアノ本体を構成しており、高音部側の内面には、互いに異なる長さの大中小の大屋根突き揚げ棒５２ａ，５２ｂ，５２ｃの各一端部が、支軸５３を介して回動自在に取り付けられている。
【０００３】
以上の構成により、例えば、ピアノの非使用時や練習時には、図６（ｂ）に示すように、側板６の内部機構を保護すべく、大屋根突き揚げ棒５２ａ〜５２ｃはすべて折りたたまれ、大屋根２は閉じた状態とされる。一方、演奏会においてピアノを独奏する場合などには、大屋根２の高音部側を持ち上げた状態で、大屋根突き揚げ棒（大）５２ａを起こし、その先端部を中央よりの突き揚げ棒受け皿５１に係合させることによって、大屋根２は、大きな角度で傾斜した大開放位置（同図（ａ）の位置）に保持される。また、他の楽器とのアンサンブル演奏を行う場合などには、共演者が見えるようにするために、大屋根突き揚げ棒（中）５２ｂまたは大屋根突き揚げ棒（小）５２ｃを、側板６寄りの突き揚げ受け皿５１に係合させることによって、大屋根２は、より小さな角度で傾斜した中開放位置または小開放位置に保持される（同図（ｃ）参照）。
【０００４】
しかし、上記の従来のグランドピアノでは、大屋根２の端部が蝶番５を介して単純に取り付けられているだけなので、大屋根２を開閉するのに、一方の手で大屋根２を支えながら、他方の手で大屋根突き揚げ棒５２ａ〜５２ｃを操作しなければならない。一方、大屋根２は、面積がかなり大きく、フルコンサートピアノでは総重量が４０〜５０ｋｇにも及ぶ。このため、女性や子供の力では大屋根２を容易に開閉できないとともに、開閉操作の途中で支えきれなくなることで、大屋根２が自重で勢いよく閉じてしまい、大屋根２や側板６を損傷させるなどの不具合が生じるおそれがある。特に、大屋根２を大開放位置から閉鎖する場合には、その間、大屋根２を片手で持ち続け、ゆっくり閉じながら、大屋根突き揚げ棒（大）５２ａを折りたたむことが必要になるとともに、大屋根２が高音部側からかなり遠い位置にあって、無理な姿勢で操作することになるため、上記のような不具合が生じやすくなる。
【０００５】
このため、このような不具合を解消するための大屋根支持装置が、従来から提案されており、例えば、特許文献１に開示されている。なお、以下の説明では、図６のグランドピアノ５０と同一の構成部品については、同じ参照番号を用いるものとする。図７に示すように、この大屋根支持装置はギヤジャッキ６１で構成されており、このギヤジャッキ６１は、グランドピアノ６０のピアノ本体内の支柱６２に固定されたジャッキ本体６１ａと、このジャッキ本体６１ａから上下方向に延び、外周面にねじ６３ａが形成され、上端部にローラ６４が設けられたロッド６３を備えており、ローラ６４は大屋根２の裏面に当接している。ジャッキ本体６１ａの内部には、ロッド６３のねじ６３ａに噛み合う雌ねじ（図示せず）を有し、ジャッキ本体６１ａに対して回転自在かつ上下方向に移動不能のウオームホイールと、このウオームホイールの外周面に形成した歯と噛み合うウオームが形成された駆動軸（いずれも図示せず）が設けられている。この駆動軸は、演奏者の付近に設けられたハンドル（図示せず）に一体に連結されている。
【０００６】
以上の構成により、ハンドルを一方の方向に回すと、駆動軸が回転するのに伴い、ウオームホイールが回転することで、ロッド６３が上昇し、ローラ６４を介して大屋根２を突き揚げることによって、大屋根２が開放される。また、ハンドルを開放時とは逆方向に回すことにより、ロッド６３が下降し、大屋根２が閉鎖される。したがって、大屋根２を任意の角度に開放できるとともに、大屋根２が開閉の途中で、自重によって勢い良く閉じることがなくなる。また、ギヤジャッキ６１のウオームおよびウオームホイールによって減速されるため、ハンドルを小さな操作力で回すことができる。
【０００７】
【特許文献１】
特開２００１−１９５０５５号公報（第３頁、第２〜３図）
【０００８】
【発明が解決しようとする課題】
このように、特許文献１に記載の従来の大屋根支持装置によれば、ギヤジャッキ６１による減速によって、ハンドルを小さな操作力で回しながら大屋根２を開放することができる。しかし、この減速によって、大屋根２を前述した大開放位置まで開放するには、ハンドルを何度も回す必要があり、時間を要してしまう。このような不具合を解消するために、例えばギヤジャッキ６１を蝶番５により近い位置に配置することによって、大開放位置までのロッド６３のストロークを短くし、ハンドルを回す回数を減少させることが考えられる。しかし、その場合には、大屋根２の支点に近い部分を突き揚げるため、ハンドルの操作力が大きくなってしまう。また、図６に示したような一般的なグランドピアノでは、大屋根突き揚げ棒５２ａ〜５２ｃが斜めの状態で大屋根２を支持するのに対し、この従来の大屋根支持装置では、ロッド６３が上方にまっすぐ突出するため、観客が違和感を生じるなど、外観が損なわれる。また、ギヤジャッキ６１が多くの部品を有し、構成も複雑であるため、製造コストが上昇する。
【０００９】
本発明は、上記課題を解決するためになされたものであり、安価かつ単純に構成でき、短時間で開閉できるとともに、大屋根を任意の開放角度で確実に支持することができるグランドピアノの大屋根支持装置を提供することを目的とする。
【００１０】
【課題を解決するための手段】
この目的を達成するために、請求項１に係る発明は、側板に支点を中心として回動自在に取り付けられた大屋根を開放状態で支持するためのグランドピアノの大屋根支持装置であって、基端部が側板の支点と反対側に位置する支点に前後方向の軸線回りに回動自在に取り付けられ、開放された大屋根を先端部で支持するための大屋根突き揚げ棒と、大屋根突き揚げ棒の先端部に転動自在に設けられ、大屋根突き揚げ棒で大屋根を支持した状態において、大屋根の裏面に当接するローラと、を備え、ローラには、大屋根の開放側への回動に伴うローラの転動を許容し、大屋根の閉鎖側への回動に伴うローラの転動を阻止するワンウェイクラッチ機構が設けられていることを特徴とする。
【００１１】
このグランドピアノの大屋根支持装置によれば、一方の手で大屋根を持ち上げると同時に他方の手で大屋根突き揚げ棒を持ち上げ、大屋根の裏面にローラを当接させた状態を保ちながら、大屋根および大屋根突き揚げ棒を持ち上げることによって、大屋根を開放する。その際、ローラが大屋根の裏面上を転動する。したがって、大屋根を持ち上げる力の一部を大屋根突き揚げ棒で支持しながら、大屋根を開放するので、大屋根を容易に開放することができる。また、このローラは、大屋根が閉鎖側に回動する際には、ローラの転動がワンウェイクラッチ機構によって阻止されるので、大屋根突き揚げ棒が下方へ回動できなくなり、それに伴い、大屋根突き揚げ棒に支持された大屋根もまた閉鎖側へ回動できなくなる。したがって、大屋根の開放の途中または閉鎖の途中で大屋根突き揚げ棒または大屋根を支える力を緩めたり、手を離したりしても、その角度で大屋根を係止できるため、大屋根が自重によって急激に閉じてしまうことがなくなり、これに起因する大屋根や側板などの損傷を防止することができる。
【００１２】
さらに、大屋根を所望の角度まで開放した後、大屋根および大屋根突き揚げ棒から手を離すことによって、大屋根を所望の任意の角度で開放することができる。また、従来の大屋根突き揚げ棒の先端部にローラを設けただけの単純な構成であるため、安価に製造できる。さらに、ギヤジャッキを用いる従来の大屋根支持装置と異なり、大屋根および大屋根突き揚げ棒を手で直接持ち上げるため、大屋根を短時間で開放することができる。
【００１３】
請求項２に係る発明は、請求項１に記載のグランドピアノの大屋根支持装置において、大屋根突き揚げ棒の支点付近に設けられ、大屋根突き揚げ棒の下方への回動を制動するロータリーダンパをさらに備えることを特徴とする。
【００１４】
この構成によれば、ローラが大屋根から大きく離れた場合や、ローラの破損によってワンウェイクラッチ機構の機能が損なわれた場合においても、ロータリーダンパによって、大屋根突き揚げ棒が制動されることで、大屋根突き揚げ棒が緩やかに下方に回動するので、大屋根は急激に閉じることがなくなり、大屋根や側板の損傷を確実に防止することができる。
【００１５】
請求項３に係る発明は、請求項１または２に記載のグランドピアノの大屋根支持装置において、ローラの外周部は、摩擦性を有する材料で構成されていることを特徴とする。
【００１６】
この構成によれば、ローラが有する高い摩擦性によって、ローラが大屋根に対して滑りにくくなるので、大屋根の開閉の際、大屋根突き揚げ棒による大屋根の支持および係止を、より安定した状態で確実に行うことができる。
【００１７】
【発明の実施の形態】
以下、本発明の好ましい実施形態を、図面を参照しながら説明する。図１は、本発明の第１実施形態による大屋根支持装置を含むグランドピアノ１を示している。同図に示すように、大屋根２は、従来と同様、大屋根後３と、大屋根後３に対して後方に折りたたみ自在の大屋根前４で構成されている。また、大屋根２は、ラワン合板などで構成されており、その表面には、例えばポリエステル樹脂による塗装が施されている。一方、側板６は、これに内蔵されたフレームや響板（いずれも図示せず）などとともに、ピアノ本体を構成している。大屋根後３は、その低音側端部において、支点としての前後の蝶番５（１つのみ図示）を介して、側板６の内側面の所定の位置に回動自在に取り付けられている。ピアノ本体には、大屋根２を開放状態で支持するための大屋根支持装置１１が設けられている。
【００１８】
図２および図３に示すように、本発明に係る大屋根支持装置１１は、大屋根突き揚げ棒１２、ローラ機構１３およびロータリーダンパ１４を備えている。大屋根突き揚げ棒１２は、その基端部１２ａにおいて、側板６の高音部側の内側面に取り付けられたロータリーダンパ１４の支軸７（支点）を介して、前後方向の軸線回りに回動自在に取り付けられており、この基端部１２ａから先端部１２ｂに向かって延びている。
【００１９】
大屋根突き揚げ棒１２の先端部１２ｂには、ローラ機構１３が取り付けられている。このローラ機構１３は、一対のローラ１５，１５およびＴ字形の取付部材１６で構成されている。この取付部材１６は、前後方向に延びるローラ軸部１６ａと、その中央から垂直に延びる連結部１６ｂで構成されており、この連結部１６ｂが、大屋根突き揚げ棒１２の先端部１２ｂの端面に形成された開口（図示せず）に差し込まれた状態で、これに固定されている。ローラ１５，１５は、貫通した孔１５ａを有するリング状のものであり、この孔１５ａを介して、ローラ軸部１６ａの両側部にそれぞれ嵌め込まれている。また、各ローラ１５の外周面には、高摩擦性部材１７が巻かれており、この高摩擦性部材１７は、高い摩擦性を有する材料（例えばシリコンゴム、ウレタンゴムまたはネオプレンゴム）で構成されている。
【００２０】
また、ローラ１５は、ワンウェイクラッチ機構（図示せず）を内蔵した市販のものである。このワンウェイクラッチ機構は、ローラ軸部１６ａに対するローラ１５の所定の一方向への回転を許容する一方、逆方向への回転を阻止するように構成されており、各ローラ１５は、ローラ軸部１６ａに、図２（ａ）のＡ方向には回転可能で、Ｂ方向には回転不能になるように取り付けられている。
【００２１】
ロータリーダンパ１４は、例えば市販の油圧式のものであり、図３（ｂ）に示すように、円筒形のケーシング１８と、このケーシング１８から突出する支軸７と、ケーシング１８に対して一体のつば状の取付部１９で構成されている。支軸７は、ケーシング１８に回転自在に取り付けられており、楕円形の断面を有している。取付部１９には、取付用の２つの孔（図示せず）が形成されている。ケーシング１８の内部には、オイル（図示せず）が充填されており、ロータリーダンパ１４は、このオイルの油圧によって、支軸７が所定の一方向に回転するときのみ制動を加え、逆方向への回転に対しては制動を行わない、すなわち無負荷になるように構成されている。
【００２２】
一方、側板６の高音部側の内側面には、取付板２０が金具（図示せず）などによって取り付けられている。また、この取付板２０の後ろ側の側面には、円形の凹部２１が形成されている。そして、ロータリーダンパ１４は、ケーシング１８を凹部２１に嵌め込んだ状態で、ねじ２２，２２を取付部１９の孔を介して取付板２０にねじ込むことによって、取付板２０に固定されている。また、大屋根突き揚げ棒１２の基端部１２ａの前側の側面には、支軸７に対応する楕円形の軸穴１２ｃが形成されており、大屋根突き揚げ棒１２は、この軸穴１２ｃを支軸７に嵌め込むことによって、支軸７に回動不能に連結されている。ロータリーダンパ１４は、大屋根突き揚げ棒１２が図３（ａ）のＣ方向に回動するときのみ制動を加えるように、取り付けられている。
【００２３】
また、側板６の高音部側の内側面には、押え板２３が、取付板２０との間に大屋根突き揚げ棒１２を挟持するように、金具（図示せず）などによって取り付けられている。この押え板２３には、前後方向に貫通した孔２４が形成されるとともに、支持具２５が設けられている。また、大屋根突き揚げ棒１２の基端部１２ａの後ろ側の側面には、軸穴１２ｄが、軸穴１２ｃと同心状に形成されている。支持具２５は、ヘッド２５ａおよびこのヘッド２５ａから突出する支軸２５ｂで構成されており、ヘッド２５ａには、取付用の２つの孔（図示せず）が形成されている。
【００２４】
そして、支持具２５は、その支軸２５ｂを孔２４および軸穴１２ｄに嵌め込んだ状態で、ねじ２６，２６をヘッド２５ａの孔を介して押え板２３にねじ込むことによって、押え板２３に固定されている。これにより、大屋根突き揚げ棒１２は、支持具２５の支軸２５ｂに板止め状態で回動自在に支持されている。なお、大屋根突き揚げ棒１２は、大屋根２の大きな重量を支えるため、高い剛性を有する材料、例えば金属で補強した木材などで構成することが好ましい。
【００２５】
次に、上記の構成の大屋根支持装置１１による大屋根２の開閉動作を、図４を参照しながら説明する。同図（ａ）に示すように、大屋根２が閉鎖した状態では、大屋根突き揚げ棒１２はフレーム（図示せず）の上に水平に載置されている。この閉鎖状態から大屋根２を開放する場合には、一方の手で大屋根２の高音部側を持ち上げると同時に他方の手で大屋根突き揚げ棒１２を持ち上げ、大屋根２の裏面にローラ１５を当接させた状態を保ち、ローラ１５を転動させながら、大屋根２および大屋根突き揚げ棒１２を持ち上げる（同図（ｂ）のＤ方向およびＥ方向）。このように、ローラ１５を転動させながら大屋根２および大屋根突き揚げ棒１２を持ち上げることによって、大屋根２を開放するので、大屋根２を持ち上げる力の一部を大屋根突き揚げ棒１２で支持しながら、大屋根２を開放することができる。したがって、大屋根２を容易に開放することができる。
【００２６】
そして、所望の開放角度に達したときに、大屋根２および大屋根突き揚げ棒１２から手を離す（同図（ｃ）参照）。それにより、大屋根２は重力によって閉鎖側に回動しようとするが、その場合、ローラ１５のワンウェイクラッチ機構によって、大屋根２に対するローラ１５の転動が阻止されるので、大屋根突き揚げ棒１２が下方に回動できなくなり、それに伴い、大屋根突き揚げ棒１２に支持された大屋根２もまた閉鎖側に回動できなくなる。したがって、大屋根２および大屋根突き揚げ棒１２を所望の角度まで開放した後、手を離すことによって、大屋根２をその開放角度に保持することができる。
【００２７】
次に、大屋根２を閉鎖する場合には、一方の手で大屋根突き揚げ棒１２を支えた状態で、他方の手で大屋根２をわずかに持ち上げることによって、ローラ１５による大屋根２の係止状態を解除し、大屋根突き揚げ棒１２を少し下方に回動させ、その後再び大屋根２をローラ１５に当接させる。このような操作を繰り返すことによって、大屋根２を容易に閉鎖することができる。
【００２８】
また、大屋根２の開閉の途中で、大屋根２および大屋根突き揚げ棒１２を支える力を緩めたり、手を離したりしても、ローラ１５のワンウェイクラッチ機構により、その角度で大屋根２を係止することができる。これにより、大屋根２が自重によって急激に閉じてしまうことがなくなり、これに起因する大屋根２および側板６の損傷を防止することができる。
【００２９】
さらに、高摩擦性部材１７による高い摩擦性によって、ローラ１５は大屋根２の裏面に対して滑りにくくなるので、大屋根２の開閉の際、大屋根突き揚げ棒１２の支持および係止を、より安定した状態で確実に行うことができる。また、ローラ１５のワンウェイクラッチ機構の機能が損なわれた場合や、ローラ１５が大屋根２から大きく離れた場合でも、ロータリーダンパ１４の作用によって、大屋根突き揚げ棒１２は緩やかに下方に回動するため、大屋根２が急激に閉じることがなくなり、大屋根２や側板６の損傷を確実に防止することができる。
【００３０】
また、従来一般の大屋根突き揚げ棒に市販のロータリーダンパ１４およびローラ１５を取り付けただけの単純な構成であるため、安価に製造できる。さらに、ギヤジャッキ６１を用いる従来の大屋根支持装置と異なり、大屋根２および大屋根突き揚げ棒１２を手で直接持ち上げるので、大屋根２を短時間で開放することができる。
【００３１】
図５は、本発明の第２実施形態による大屋根支持装置３１を示している。同図において、第１実施形態と同じ構成の部分については、同じ符号を用いて示している。この大屋根支持装置３１は、第１実施形態と比較して、大屋根突き揚げ棒３２の先端部３３の形状およびローラ１５の個数が異なるものである。同図に示すように、この大屋根突き揚げ棒３２の先端部３３には二股状の腕部３４，３４が設けられており、各腕部３４には貫通した孔３４ａが形成されている。この孔３４ａ，３４ａに、ローラ軸３５の両端部が嵌め込まれ、これに固定されている。ローラ軸３５の中央には、ローラ１５が嵌め込まれている。このローラ１５は、第１実施形態で用いたのと同様に構成されており、ワンウェイクラッチ機構を有するものである。
【００３２】
したがって、本発明の第２実施形態においても、前述した第１実施形態による効果を同様に得ることができる。これに加えて、大屋根突き揚げ棒３２の先端部３３に１つのローラ１５が取り付けられているので、２つのローラ１５，１５を使用する第１実施形態よりも、製造コストを削減することができる。
【００３３】
なお、本発明は、説明した実施形態に限定されることなく、種々の態様で実施することができる。例えば、説明した実施形態は、ローラ１５付きの大屋根突き揚げ棒１２，３２を一本だけ用いた例であるが、大屋根２を低角度において確実に支持するために、従来の突き揚げ棒受け皿５１および大屋根突き揚げ棒（小）５２ｃを併用してもよく、さらに、大屋根突き揚げ棒（小）５２ｃにローラ１５やロータリーダンパ１４を取り付けてもよい。また、大屋根２をより確実に支持するために、ローラ軸部１６ａを軸線方向に延ばし、これに３個以上のローラ１５を取り付けてもよい。また、実施形態は、本発明をグランドピアノに適用した例であるが、本発明を、大屋根を有するグランドピアノ型の電子ピアノに適用してもよい。その他、本発明の趣旨の範囲内で、細部の構成を適宜、変更することが可能である。
【００３４】
【発明の効果】
以上のように、本発明のグランドピアノの大屋根支持装置によれば、安価かつ単純に構成でき、短時間で開閉できるとともに、大屋根を任意の開放角度で確実に支持することができるなどの効果を有する。
【図面の簡単な説明】
【図１】本発明の第１実施形態による大屋根支持装置を含むグランドピアノを示す斜視図ある。
【図２】第１実施形態による大屋根突き揚げ棒の先端部の構成を示す（ａ）斜視図および（ｂ）側面図である。
【図３】図２の大屋根突き揚げ棒の基端部付近の構成を示す（ａ）正面図および（ｂ）部分破断平面図である。
【図４】図１のグランドピアノの（ａ）閉鎖状態、（ｂ）開放操作の途中の状態、および（ｃ）開放状態を示す正面図である。
【図５】本発明の第２実施形態による大屋根突き揚げ棒の先端部の構成を示す（ａ）正面図および（ｂ）側面図である。
【図６】従来の一般的なグランドピアノの大屋根支持装置を、大屋根の（ａ）大開放状態、（ｂ）閉鎖状態、および（ｃ）小開放状態において示す正面図である。
【図７】ギヤジャッキを使用した従来の大屋根支持装置を概略的に示す正面図である。
【符号の説明】
１  グランドピアノ
２  大屋根
５  蝶番（側板の支点）
６  側板
７  支軸（大屋根突き揚げ棒の支点）
１１  大屋根支持装置
１２  大屋根突き揚げ棒
１２ａ  基端部
１２ｂ  先端部
１４  ロータリーダンパ
１５  ローラ
１７  高摩擦性部材（摩擦性を有する材料）
【図１】
2004354526.tif 000003
【図２】
2004354526.tif 000004
【図３】
2004354526.tif 000005
【図４】
2004354526.tif 000006
【図５】
2004354526.tif 000007
【図６】
2004354526.tif 000008
【図７】
2004354526.tif 000009